(57)【要約】【課題】ディジタル移動通信システムで、フェージングにより生じるレベル変動や位相回転の課題を解決し、良好な受信特性を得るためのダイバーシティ回路を簡易な構成で実現することを目的とする。【解決手段】受信信号を直交検波して得られた同相成分または直交成分のいずれかの絶対値の平均値を受信信号レベルとする受信信号レベル検出手段と、前記受信信号レベル検出手段より得られる受信信号レベルを、複数の受信ブランチ間で比較し、最も受信信号レベルの大きい受信ブランチからの受信データを選択する受信ブランチ選択手段とを有するように構成することで、簡易な構成のダイバーシティ回路で受信品質を改善できる。【選択図】  図１
2004328431.tif 000002
【特許請求の範囲】
【請求項１】
受信信号を直交検波して得られた同相成分または直交成分のいずれかの絶対値の平均値を受信信号レベルとし、複数の受信ブランチ間で比較し、最も受信信号レベルの大きい受信ブランチからの受信データを選択することを特徴とするダイバーシティ受信方法。
【請求項２】
受信信号を直交検波して得られた同相成分または直交成分のいずれかの絶対値の平均値を受信信号レベルとして求め、位相変調信号を復調して得られる位相データを用いて、前記位相データの理想の位相からの位相誤差をあらかじめ定めたシンボルデータ分累積した位相誤差累積値を求め、前記受信信号レベルと位相誤差累積値とから受信ブランチからの受信データを選択することを特徴とするダイバーシティ受信方法。
【請求項３】
受信データの選択は、最も受信信号レベルの大きい受信ブランチの受信信号レベルと、それ以外の受信ブランチの受信信号レベルとの差があらかじめ定められた閾値より大きい場合は、最も受信信号レベルの大きい受信ブランチからの受信信号を選択することを特徴とする請求項１または２記載のダイバーシティ受信方法。
【請求項４】
受信データの選択は、最も受信信号レベルの大きい受信ブランチの受信信号レベルと、それ以外の受信ブランチの受信信号レベルとの差があらかじめ定められた閾値より小さい場合は、最も位相誤差累積値の小さい受信ブランチからの受信信号を選択することを特徴とする請求項２記載のダイバーシティ受信方法。
【請求項５】
受信データの選択は、最も位相誤差累積値の小さい受信ブランチと、それ以外の受信ブランチとの位相誤差累積値の差があらかじめ定められた閾値より小さい受信ブランチが存在する場合は、該当受信ブランチ間の中で最も受信信号レベルの大きい受信ブランチを選択することを特徴とする請求項２記載のダイバーシティ受信方法。
【請求項６】
受信した信号を用いてフレーム同期処理を行った結果、フレーム同期の確立の成功または不成功のいずれかを示すフレーム同期判定結果より、フレーム同期の確立の成功した受信ブランチの候補から選択することを特徴とする請求項１乃至５のいずれかに記載のダイバーシティ受信方法。
【請求項７】
受信信号を直交検波して得られた同相成分または直交成分のいずれかの絶対値の平均値を受信信号レベルとする受信信号レベル検出手段と、前記受信信号レベル検出手段より得られる受信信号レベルを、複数の受信ブランチ間で比較し、最も受信信号レベルの大きい受信ブランチからの受信データを選択する受信ブランチ選択手段とを有することを特徴とするダイバーシティ回路。
【請求項８】
受信信号を直交検波して得られた同相成分または直交成分のいずれかの絶対値の平均値を受信信号レベルとする受信信号レベル検出手段と、位相変調信号を復調して得られる位相データを用いて、前記位相データの理想の位相からの位相誤差を検出する位相誤差検出手段と、前記位相誤差をあらかじめ定めたシンボルデータ分累積した位相誤差累積値を求める位相誤差累積手段と、前記受信信号レベル検出手段より得られる受信信号レベルと前記位相誤差累積手段より得られる位相誤差累積値とから受信ブランチからの受信データを選択する受信ブランチ選択手段とを有することを特徴とするダイバーシティ回路。
【請求項９】
受信ブランチ選択手段は、最も受信信号レベルの大きい受信ブランチの受信信号レベルと、それ以外の受信ブランチの受信信号レベルとの差があらかじめ定められた閾値より大きい場合は、最も受信信号レベルの大きい受信ブランチからの受信信号を選択することを特徴とする請求項７記載のダイバーシティ回路。
【請求項１０】
受信ブランチ選択手段は、最も受信信号レベルの大きい受信ブランチの受信信号レベルと、それ以外の受信ブランチの受信信号レベルとの差があらかじめ定められた閾値より小さい場合は、最も位相誤差累積値の小さい受信ブランチからの受信信号を選択することを特徴とする請求項８記載のダイバーシティ回路。
【請求項１１】
受信ブランチ選択手段は、最も位相誤差累積値の小さい受信ブランチと、それ以外の受信ブランチとの位相誤差累積値の差があらかじめ定められた閾値より小さい受信ブランチが存在する場合は、該当受信ブランチ間の中で最も受信信号レベルの大きい受信ブランチを選択することを特徴とする請求項８記載のダイバーシティ回路。
【請求項１２】
さらに、受信した信号を用いてフレーム同期処理を行った結果、フレーム同期の確立の成功または不成功のいずれかを示すフレーム同期判定結果を出力するフレーム同期判定手段を具備し、前記フレーム同期判定手段より得られるフレーム同期判定結果より、フレーム同期の確立した受信ブランチの候補から選択することを特徴とする請求項７乃至１１のいずれかに記載のダイバーシティ回路。
【請求項１３】
同じ受信信号またはあらかじめ定めた時間差内の受信信号を基に求められた受信信号レベル、位相誤差累積値、フレーム同期判定結果、及び、受信データが、ダイバーシティ回路へ入力されるようにタイミングを調整するタイミング調整手段を有することを特徴とする請求項８乃至１２のいずれかに記載のダイバーシティ回路。
【請求項１４】
請求項７乃至１３のいずれかに記載のダイバーシティ回路からの受信データを受信することを特徴とする受信装置。
【請求項１５】
請求項１４に記載の受信装置と、フレーム同期用データを含むデータを位相変調して送信するの送信装置とを有することを特徴とする通信装置。
【発明の詳細な説明】
【０００１】
【発明の属する技術分野】
本発明は、ディジタル移動通信システムで、ディジタル位相変調信号を受信する場合において、受信品質を改善するためのダイバーシティ受信方法及びダイバーシティ回路に関するものである。
【０００２】
【従来の技術】
ディジタル移動通信環境においては、無線通信路の特徴であるマルチパスによるフェージングの問題があり、それによって生じる受信信号のレベル変動や位相回転は、受信品質劣化の大きな要因である。従って、フェージング対策は、ディジタル移動通信を行う場合、重要な課題である。従来より、その対策として自動利得制御方式やダイバーシティ方式が採用されてきた。
【０００３】
また、ディジタル移動通信環境においては、年々アプリケーションが多様化し、小型で簡易な制御を行う装置が求められることも少なくない。
【０００４】
従来のダイバーシティ方式として、受信信号レベルを比較して、受信信号レベルが大きいブランチを選択する方式がある。この方法の一例を図１１に示す。
【０００５】
図１１は、受信した無線信号を周波数変換した後のＩＦ信号以降の受信装置の構成の一部を示したものである。受信ＩＦ信号１０１は、ＩＦアンプ１０２にて、目標レベルに近づくようにレベルを制御される。ＩＦアンプ１０２の利得は、自動利得制御部１１３により求められた利得制御信号１１２により決定される。ＩＦアンプ出力信号１０３はＡ／Ｄ変換部１０４でサンプリングされる。サンプリングにより得られたディジタルＩＦ信号１０５は、直交検波部１０６により直交検波され、同相成分（Ｉ信号１０７）及び直交成分（Ｑ信号１０８）が得られる。
【０００６】
さらに、同相成分（Ｉ信号１０７）及び直交成分（Ｑ信号１０８）は、チャネルフィルタ部１０９において波形整形処理され、波形整形後の同相成分（Ｉ信号１１０）及び波形整形後の直交成分（Ｑ信号１１１）が得られる。Ｉ信号１１０及びＱ信号１１１は、復調処理に用いられる。また、Ｉ信号１１０及びＱ信号１１１は、受信信号レベル検出部１１８にも入力され、受信信号レベル演算部１１７において、Ｉ信号１１０及びＱ信号１１１の２乗和の平方根（：瞬時の受信信号レベル１１６）が求められる。
【０００７】
瞬時の受信信号レベル１１６は、平均処理部１１５により、あらかじめ定めたデータ分平均化される。すなわち、受信信号レベル検出部１１８で求められる受信信号レベルは、（数１）で求める。
【０００８】
【数１】
2004328431.tif 000003
【０００９】
受信信号レベル１１４は、ダイバーシティ部及び自動利得制御部１１３へ入力される。ダイバーシティ部は、各受信ブランチからの受信信号レベルを比較し、最も受信信号レベルが大きいブランチからの受信データが最も信頼性が高いと判断し、そのブランチからの受信データを選択する（例えば、特許文献１を参照）。
【００１０】
【特許文献１】
特開平０６−９０２２７号公報
【００１１】
【発明が解決しようとする課題】
上記の従来技術の例のように、受信信号レベルを求める方法として、Ｉ信号及びＱ信号の２乗和の平方根を用いる方法が一般に多く用いられている。しかし、２乗や平方根を求める演算は、回路が複雑となり、規模も大きくなるという課題がある。
【００１２】
また、従来のダイバーシティ方式では、受信信号レベルのみならず、復調後のデータから求めた誤り率を使用するなど、さまざまな情報の組合せからブランチ選択を行う方法が用いられている。しかし、回路の小型化のために、受信信号レベルの検出方法を簡素化すると、ダイバーシティ回路での受信信号品質比較の精度が劣化してしまい、多くの情報から処理を行うために、制御が複雑となり、それを実現する回路も大きくなってしまうという課題がある。
【００１３】
また、受信回路をＬＳＩ化し、小型化を図るには、各処理部それぞれができるだけ簡易な構成で実現されることが要求される。
【００１４】
従って本発明は、無線通信システムにおいて、受信信号レベル検出方法を簡素化し、さらに位相変調信号復調処理時に容易に得られる位相誤差値をブランチ判定条件に加えることで、簡易な構成で受信品質の改善が実現できるダイバーシティ回路を提供することを目的とする。
【００１５】
【課題を解決するための手段】
この課題を解決するために本発明は、受信信号レベルの検出を、直交検波後の同相成分（Ｉ信号）または直交成分（Ｑ信号）の絶対値の平均のみから求めるように構成したものである。
【００１６】
また本発明は、位相変調信号復調処理時に容易に得られる位相誤差値をあらかじめ定めたシンボルデータ分累積し、複数ブランチ間の受信信号レベルの差が小さい場合は、さらにブランチ判定条件に位相誤差累積値を用いるように構成したものである。
【００１７】
これらにより、受信信号レベル検出回路を小型化でき、また、特に複雑な回路を付加することなく、ブランチ選択精度を高めることが可能となり、簡易な構成のダイバーシティ回路が得られる。
【００１８】
【発明の実施の形態】
本発明の請求項１に記載の発明は、受信信号を直交検波して得られた同相成分または直交成分のいずれかの絶対値の平均値を受信信号レベルとし、複数の受信ブランチ間で比較し、最も受信信号レベルの大きい受信ブランチからの受信データを選択するものであり、最も受信信号レベルの大きい受信ブランチからの受信データを選択することで、ブランチ選択精度の向上を図ると共に、受信信号レベルの検出回路を簡易な構成で実現することができるという作用を有する。
【００１９】
請求項２に記載の発明は、受信信号を直交検波して得られた同相成分または直交成分のいずれかの絶対値の平均値を受信信号レベルとして求め、位相変調信号を復調して得られる位相データを用いて、前記位相データの理想の位相からの位相誤差をあらかじめ定めたシンボルデータ分累積した位相誤差累積値を求め、前記受信信号レベルと位相誤差累積値とから受信ブランチからの受信データを選択するものであり、受信信号レベルと位相誤差累積値とから受信ブランチからの受信データを選択することにより、ブランチ選択精度の向上を図ると共に、受信信号レベルの検出回路を簡易な構成で実現することができるという作用を有する。
【００２０】
請求項３に記載の発明は、請求項１または２記載のダイバーシティ受信方法において、受信データの選択は、最も受信信号レベルの大きい受信ブランチの受信信号レベルと、それ以外の受信ブランチの受信信号レベルとの差があらかじめ定められた閾値より大きい場合は、最も受信信号レベルの大きい受信ブランチからの受信信号を選択することを特徴とするもので、最も受信信号レベルの大きい受信号とそれ以外の受信ブランチの受信信号レベルとの差を選択条件に加え、この差が受信信号品質を比較する上で有意な差である状況においてブランチ選択を行うことにより、ブランチ選択精度の向上を図ると共に、受信信号レベルの検出回路を簡易な構成で実現することができるという作用を有する。
【００２１】
請求項４に記載の発明は、請求項２記載のダイバーシティ受信方法において、受信データの選択は、最も受信信号レベルの大きい受信ブランチの受信信号レベルと、それ以外の受信ブランチの受信信号レベルとの差があらかじめ定められた閾値より小さい場合は、最も位相誤差累積値の小さい受信ブランチからの受信信号を選択することを特徴とするもので、最も受信信号レベルの大きい受信号とそれ以外の受信ブランチの受信信号レベルとの差を選択条件に加え、この差が受信信号品質を比較する上で有意な差でない状況においては、ブランチ選択条件を位相誤差累積値に切り替えることでブランチ選択を行うことにより、ブランチ選択精度の向上を図ると共に、受信信号レベルの検出回路を簡易な構成で実現することができるという作用を有する。
【００２２】
請求項５に記載の発明は、請求項２記載のダイバーシティ受信方法において、受信データの選択は、最も位相誤差累積値の小さい受信ブランチと、それ以外の受信ブランチとの位相誤差累積値の差があらかじめ定められた閾値より小さい受信ブランチが存在する場合は、該当受信ブランチ間の中で最も受信信号レベルの大きい受信ブランチを選択することを特徴とするもので、最も位相誤差累積値の小さい受信ブランチと、それ以外の受信ブランチとの位相誤差累積値の差を選択条件に加え、この差が受信信号品質を比較する上で有意な差でない状況においては、ブランチ選択条件を受信信号レベルに切り替えることでブランチ選択を行うことにより、ブランチ選択精度の向上を図ると共に、受信信号レベルの検出回路を簡易な構成で実現することができるという作用を有する。
【００２３】
請求項６に記載の発明は、請求項１乃至５のいずれかに記載のダイバーシティ受信方法において、受信した信号を用いてフレーム同期処理を行った結果、フレーム同期の確立の成功または不成功のいずれかを示すフレーム同期判定結果より、フレーム同期の確立の成功した受信ブランチの候補から選択することを特徴とするもので、フレーム同期外れと判定された受信ブランチを、受信ブランチ選択の候補から除外することで、ブランチ選択精度の向上を図ることができるという作用を有する。
【００２４】
請求項７に記載の発明は、受信信号を直交検波して得られた同相成分または直交成分のいずれかの絶対値の平均値を受信信号レベルとする受信信号レベル検出手段と、前記受信信号レベル検出手段より得られる受信信号レベルを、複数の受信ブランチ間で比較し、最も受信信号レベルの大きい受信ブランチからの受信データを選択する受信ブランチ選択手段とを有するもので、最も受信信号レベルの大きい受信ブランチからの受信データを選択することで、ブランチ選択精度の向上を図ると共に、受信信号レベルの検出回路を簡易な構成で実現することができるという作用を有する。
【００２５】
請求項８に記載の発明は、受信信号を直交検波して得られた同相成分または直交成分のいずれかの絶対値の平均値を受信信号レベルとする受信信号レベル検出手段と、位相変調信号を復調して得られる位相データを用いて、前記位相データの理想の位相からの位相誤差を検出する位相誤差検出手段と、前記位相誤差をあらかじめ定めたシンボルデータ分累積した位相誤差累積値を求める位相誤差累積手段と、前記受信信号レベル検出手段より得られる受信信号レベルと前記位相誤差累積手段より得られる位相誤差累積値とから受信ブランチからの受信データを選択する受信ブランチ選択手段とを有することを特徴とするもので、受信信号レベルと位相誤差累積値とから受信ブランチからの受信データを選択することにより、ブランチ選択精度の向上を図ると共に、受信信号レベルの検出回路を簡易な構成で実現することができるという作用を有する。
【００２６】
請求項９に記載の発明は、請求項７記載のダイバーシティ回路において、受信ブランチ選択手段は、最も受信信号レベルの大きい受信ブランチの受信信号レベルと、それ以外の受信ブランチの受信信号レベルとの差があらかじめ定められた閾値より大きい場合は、最も受信信号レベルの大きい受信ブランチからの受信信号を選択することを特徴とするもので、最も受信信号レベルの大きい受信号とそれ以外の受信ブランチの受信信号レベルとの差を選択条件に加え、この差が受信信号品質を比較する上で有意な差である状況においてブランチ選択を行うことにより、ブランチ選択精度の向上を図ると共に、受信信号レベルの検出回路を簡易な構成で実現することができるという作用を有する。
【００２７】
請求項１０に記載の発明は、請求項８記載のダイバーシティ回路において、受信ブランチ選択手段は、最も受信信号レベルの大きい受信ブランチの受信信号レベルと、それ以外の受信ブランチの受信信号レベルとの差があらかじめ定められた閾値より小さい場合は、最も位相誤差累積値の小さい受信ブランチからの受信信号を選択することを特徴とするもので、最も受信信号レベルの大きい受信号とそれ以外の受信ブランチの受信信号レベルとの差を選択条件に加えることにより、この差が受信信号品質を比較する上で有意な差でない状況においては、ブランチ選択条件を位相誤差累積値に切り替えることでブランチ選択を行うことにより、ブランチ選択精度の向上を図ると共に、受信信号レベルの検出回路を簡易な構成で実現することができるという作用を有する。
【００２８】
請求項１１に記載の発明は、請求項８記載のダイバーシティ回路において、受信ブランチ選択手段は、最も位相誤差累積値の小さい受信ブランチと、それ以外の受信ブランチとの位相誤差累積値の差があらかじめ定められた閾値より小さい受信ブランチが存在する場合は、該当受信ブランチ間の中で最も受信信号レベルの大きい受信ブランチを選択することを特徴とするもので、最も位相誤差累積値の小さい受信ブランチと、それ以外の受信ブランチとの位相誤差累積値の差を選択条件に加え、受信信号品質を比較する上で、ブランチ間の位相誤差累積値の差が有意な差でない状況においては、ブランチ選択条件を受信信号レベルに切り替えることでブランチ選択を行うことにより、ブランチ選択精度の向上を図ると共に、受信信号レベルの検出回路を簡易な構成で実現することができるという作用を有する。
【００２９】
請求項１２に記載の発明は、請求項７乃至１１のいずれかに記載のダイバーシティ回路において、さらに、受信した信号を用いてフレーム同期処理を行った結果、フレーム同期の確立の成功または不成功のいずれかを示すフレーム同期判定結果を出力するフレーム同期判定手段を具備し、前記フレーム同期判定手段より得られるフレーム同期判定結果より、フレーム同期の確立した受信ブランチの候補から選択することを特徴とするもので、フレーム同期外れと判定された受信ブランチを、受信ブランチ選択の候補から除外することで、ブランチ選択精度の向上を図ることができるという作用を有する。
【００３０】
請求項１３に記載の発明は、請求項８乃至１２のいずれかに記載のダイバーシティ回路において、同じ受信信号またはあらかじめ定めた時間差内の受信信号を基に求められた受信信号レベル、位相誤差累積値、フレーム同期判定結果、及び、受信データが、ダイバーシティ回路へ入力されるようにタイミングを調整するタイミング調整手段を有することを特徴とするもので、それぞれの信号を得るのに必要な処理時間の差を吸収する遅延量の遅延器の挿入することにより、各信号間の時間相関を高めることができ、ブランチ選択精度を向上させるという作用を有する。
【００３１】
請求項１４に記載の発明は、請求項７乃至１３のいずれかに記載のダイバーシティ回路からの受信データを受信することを特徴とする受信装置で、信頼性の高い受信装置を実現することができるという作用を有する。
【００３２】
請求項１５に記載の発明は、請求項１４に記載の受信装置と、フレーム同期用データを含むデータを位相変調して送信するの送信装置とを有することを特徴とするもので、信頼性の高い通信装置を実現することができるという作用を有する。
【００３３】
以下、本発明の実施の形態について、図を用いて説明する。
【００３４】
（実施の形態１）
図１は、本発明の実施の形態１におけるダイバーシティ回路を用いた受信装置の構成を示すブロック図である。これは、二つのブランチａ，ｂから構成される受信装置の例である。
【００３５】
図１において、４００ａ、ｂは受信ＩＦ信号４０１ａ、４０１ｂより得られる受信信号レベル４２１ａ，ｂ及びフレーム同期部４１８ａ，ｂより得られた復調後の受信データ４２４ａ、ｂをそれぞれ生成するブランチａ，ｂ、４２５は各ブランチにおける受信信号レベル及び復調後の受信データを用いてブランチ選択をするダイバーシティ部である。各ブランチとも、アンテナ４２７、ＲＦ部４２８、ＩＦアンプ４０２、Ａ／Ｄ変換部４０４、直交検波部４０６、チャネルフィルタ部４０９、受信信号レベル検出部４２２、自動利得制御部４１９と、復調処理部である位相変換部４１２、位相検波部４１４、自動周波数制御部４１６及びフレーム同期部４１８とから構成されている。
【００３６】
上記のように構成された受信装置の動作について、以下に説明する。
【００３７】
受信ＩＦ信号４０１ａ、ｂは、ＩＦアンプ４０２ａ、ｂにて、目標レベルに近づくようにレベルを制御される。ＩＦアンプ４０２ａ、ｂの利得は、自動利得制御部４１９ａ、ｂにより求められた利得制御信号４２０ａ、ｂにより決定される。ＩＦアンプ出力信号４０３ａ、ｂはＡ／Ｄ変換部４０４ａ、ｂでサンプリングされる。サンプリングにより得られたディジタルＩＦ信号４０５ａ、ｂは、直交検波部４０６ａ、ｂにより直交検波され、同相成分（Ｉ信号４０７ａ、ｂ）及び直交成分（Ｑ信号４０８ａ、ｂ）が得られる。
【００３８】
さらに、同相成分（Ｉ信号４０７ａ、ｂ）及び直交成分（Ｑ信号４０８ａ、ｂ）は、チャネルフィルタ部４０９ａ、ｂにおいて波形整形処理され、波形整形後の同相成分（Ｉ信号４１０ａ、ｂ）及び波形整形後の直交成分（Ｑ信号４１１ａ、ｂ）が得られる。Ｉ信号４１０ａ、ｂ及びＱ信号４１１ａ、ｂは、位相変換部４１２ａ、ｂにおいて位相データ４１３ａ、ｂに変換される。位相検波部４１４ａ、ｂは、この位相データ４１３ａ、ｂを用いて検波を行い、受信シンボルデータ４１５ａ、ｂが得られる。自動周波数制御部４１６ａ、ｂは、受信シンボルデータの位相情報から、位相誤差を検出し、これをあらかじめ定めたシンボルデータ分累積・平均化することで位相誤差補正量を求め、これをもとに受信シンボルデータを理想の信号点の位相に近づける。位相誤差を補正された受信シンボルデータ４１７ａ、ｂは、フレーム同期、ビット判定を行うフレーム同期部４１８ａ、ｂに渡され、その結果受信データ４２４ａ、ｂが得られる。
【００３９】
一方、受信ＩＦ信号４０１ａ、４０１ｂより得られる波形整形後の同相成分（Ｉ信号）または波形整形後の直交成分（Ｑ信号）のいずれかを受信信号レベル判定データ４２３ａ、ｂとして、受信信号レベル検出部４２２ａ，ｂに入力し、受信信号レベル４２１ａ、ｂを生成する。受信信号レベル４２１ａ、ｂは、自動利得制御部４１９ａ、ｂにおいて受信ＩＦ信号４０１ａ、ｂの入力レベル制御に使用される一方、ダイバーシティ部４２５にも入力され、
ダイバーシティ部４２５は、得られた受信信号レベル４２１ａ、ｂ及びフレーム同期部４１８ａ、ｂより得られた復調後の受信データ４２４ａ、ｂを用いた後述するダイバーシティ手順により、最も受信品質が良いブランチからの受信データ４２６が選択される。
【００４０】
次に、受信信号レベル検出部４２２ａ、ｂについて説明する。
【００４１】
図２は、ダイバーシティ回路を有する受信装置内の、１つのブランチにおけるＩＦアンプ１０２から復調処理部（位相変換部４１２ａ，ｂ〜フレーム同期部４１８ａ、ｂ）への入力までの詳細構成を示すブロック図である。
【００４２】
受信ＩＦ信号４０１は、ＩＦアンプ４０２にて、目標レベルに近づくようにレベルを制御される。ＩＦアンプ４０２の利得は、自動利得制御部４１３により求められた利得制御信号４１２により決定される。ＩＦアンプ出力信号４０３はＡ／Ｄ変換部４０４でサンプリングされる。サンプリングにより得られたディジタルＩＦ信号４０５は、直交検波部４０６により直交検波され、同相成分（Ｉ信号４０７）及び直交成分（Ｑ信号４０８）が得られる。さらに、同相成分（Ｉ信号４０７）及び直交成分（Ｑ信号４０８）は、チャネルフィルタ部４０９において波形整形処理され、波形整形後の同相成分（Ｉ信号４１０）及び波形整形後の直交成分（Ｑ信号４１１）が得られる。
【００４３】
Ｉ信号４１０及びＱ信号４１１は、復調処理に用いられる。さらにＩ信号４１０は、受信信号レベル検出部４２２に対しても入力される。受信信号レベル検出部４２２では、受信信号レベル演算部２０４において、Ｉ信号４１０の絶対値（：瞬時の受信信号レベル２０３）が求められる。瞬時の受信信号レベル２０３を平均処理部２０２により、あらかじめ定めたデータ分平均化し、受信信号レベル４２１として、ダイバーシティ部４２５及び自動利得制御部４１３へ出力する。
【００４４】
すなわち、受信信号レベル検出部４２２で求められる受信信号レベルは、（数２）によって求めることができる。
【００４５】
【数２】
2004328431.tif 000004
【００４６】
なお、以上の説明では、受信信号レベル検出部４２２への受信信号レベル検出に、波形整形後の同相成分（Ｉ信号４１０）を用いた例で説明したが、波形整形後の直交成分（Ｑ信号４１１）を用いることでも実施可能である。
【００４７】
次に、前記のようにして得られた各ブランチの受信信号レベル４２１ａ，ｂを用いて、ブランチ選択を行うダイバーシティ部４２５のダイバーシティ手順について説明する。図３は、各ブランチにおける受信信号レベル及び復調後の受信データを用いてブランチ選択をするダイバーシティ部４２５の構成を示すブロック図である。
【００４８】
受信信号レベル比較部３０２は、全ブランチ（ブランチａ〜ブランチｎ）の受信信号レベル４２１ａ〜４２１ｎを比較し、最も受信信号レベルの大きいブランチが最も受信品質が良いと判定し、そのブランチを示すブランチ選択信号３０３を出力する。受信ブランチ選択部３０４は、各ブランチから渡された受信データ４２４１〜４２４ｎのうち、ブランチ選択信号３０３で示されたブランチからの受信データを、ダイバーシティ部４２５で選択した受信データ４２６として出力する。
【００４９】
以上説明したように、ダイバーシティ回路において、最も品質の良いブランチの受信データを選択する際に、受信信号レベルの検出を、直交検波後の同相成分（Ｉ信号）または直交成分（Ｑ信号）の絶対値の平均のみから求めるように構成したもので、受信信号レベル検出回路を小型化でき、ブランチ選択精度を高めることが可能となり、簡易な構成のダイバーシティ回路が得られる。
【００５０】
（実施の形態２）
図４に本発明の実施の形態２における受信装置のブロック構成図を示し、説明する。実施の形態２は、図４にその構成を示すように、実施の形態１とは受信シンボルデータの位相誤差の累積演算を行うダイバーシティ用の位相誤差累積部８０３ａ、ｂを設け、ダイバーシティ部８０４は受信信号レベル及び位相誤差累積値を用いて、最も受信品質が良いブランチを選択するところが異なるもので、異なるところを中心に説明する。
【００５１】
本実施の形態の発明の骨子は、自動利得制御用に受信信号レベル検出部４２２ａ，ｂで生成された受信信号レベル４２１ａ、ｂは、ダイバーシティ部８０４に対しても入力され、自動周波数制御部４１６ａ、ｂで生成された、受信シンボルデータ４１５ａ、ｂの位相誤差８０１ａ、ｂは、ダイバーシティ用の位相誤差累積部８０２ａ、ｂであらかじめ定められたシンボル数分累積され、位相誤差累積値８０３ａ、ｂとしてダイバーシティ部８０４に対して入力される。ダイバーシティ部８０４は、受信信号レベル４２１ａ、ｂ、及び、位相誤差累積値８０３ａ、ｂを用いて、前記のダイバーシティ手順により、最も受信品質が良いブランチを選択し、選択されたブランチからの受信データ８０５を出力するものである。
【００５２】
次に、図６に自動周波数制御部４１６ａ，ｂ及び位相誤差累積部８０２のブロック構成図の例を示し、以下に説明する。一般に送受信装置間で用いられるキャリア周波数の誤差を補正するために、受信装置に自動周波数制御部が搭載されるが、自動周波数制御部によるキャリア周波数誤差補正は、次に説明する位相誤差を用いて行うことができる。
【００５３】
図５は、受信した４相位相変調信号の位相検波後の信号点配置の一例を示したものであり、取り得る４つの理想の信号点配置を、５０１、５０２、５０３、５０４の◎で示している。ここでは、受信シンボルデータの信号点配置を５０６（●）とする。４相位相変調の場合は、受信シンボルデータの位相が、理想の信号点の位相に対し±π／４より小さい誤差であれば、正しく復調できる。したがって、信号点配置５０１のシンボルデータを送信した結果、受信シンボルデータが５０６（●）のように、理想の信号点配置５０１に対する位相誤差５０７が、±π／４より小さければ（第１象現５０５内に存在すれば）、理想の信号点配置５０１に相当するシンボルデータが送信されたと判定できる。
【００５４】
直交検波、波形整形後のＩ信号４１０、Ｑ信号４１１は、位相変換部４１２において位相データ４１３に変換される。位相検波部４１４は、この位相データ４１３を用いて検波を行い、受信シンボルデータ４１５が得られる。自動周波数制御部４１６は、受信シンボルデータ４１５の位相情報から、位相誤差検出部６０５において、前記のように理想の信号点からの位相誤差６０４を検出し、位相誤差累積・平均化・補正量演算部６０３においてあらかじめ定めたシンボルデータ分だけ位相誤差６０４を累積及び平均化し、受信シンボルデータを理想の信号点の位相に近づけるための位相誤差補正量６０２を求める。求められた位相誤差補正量６０２は、位相検波部４１４の出力である受信シンボルデータ４１５を補正部６０６で補正する。位相誤差を補正された受信シンボルデータ６０１は、フレーム同期、ビット判定を行うフレーム同期部４１８に渡され、その結果受信データ４２４が得られる。
【００５５】
すなわち、位相誤差検出部６０５で求められる位相誤差６０４、及び、位相誤差累積・平均化・補正量演算部６０３で求められる位相誤差補正量６０２は、それぞれ（数３）、（数４）によって求めることができる。
【００５６】
【数３】
2004328431.tif 000005
【００５７】
【数４】
2004328431.tif 000006
【００５８】
求められた位相誤差補正量６０２を、位相検波部４１４の出力である受信シンボルデータ４１５に加えることで、受信シンボルデータ４１５の位相を補正する。
【００５９】
本実施の形態のダイバーシティ回路では、前記の自動周波数制御部４１６で求められる位相誤差６０４を、ブランチ選択に用いる位相誤差情報としてそのまま用いることで構成できる。すなわち、自動周波数制御部４１６で求められる位相誤差６０４を、ダイバーシティ用に設けた位相誤差累積部８０２においてあらかじめ定めた受信シンボルデータ分累積し、その位相誤差累積値８０２を、ダイバーシティ部８０４へ渡すように構成する。
【００６０】
すなわち、自動周波数制御部４１６で求められる位相誤差６０４、及び、位相誤差累積部８０２で求められる位相誤差累積値８０４は、それぞれ、（数３）、（数５）によって求めることができる。
【００６１】
【数５】
2004328431.tif 000007
【００６２】
なお、位相誤差を累積するシンボル数や、累積回路の構成方法によっては、位相誤差累積部８０２を、自動周波数制御部４１６とダイバーシティ部８０４とで共有するよう構成しても良い。
【００６３】
次に、位相誤差累積部８０２で求めた位相誤差累積値８０３を用いて、ブランチ選択を行うダイバーシティ部８０４について図７を用いて説明する。
【００６４】
受信信号レベル比較部７０２は、全ブランチの受信信号レベル４２１ａ〜４２１ｎを比較し、最も受信信号レベルの大きいブランチを検出する。続いて、最も受信信号レベルの大きいブランチと、受信信号レベルの差が小さいブランチが存在するかどうかを調べる。ここで受信信号レベルの差が小さいかどうかの判定は、受信信号レベルの差が、あらかじめ定めた閾値より大きい場合は受信信号レベル差が大きいと判定し、あらかじめ定めた閾値より小さい場合は受信信号レベル差が小さいと判定することにより行う。
【００６５】
前記の受信信号レベル比較の結果、最も受信信号レベルの大きいブランチと、受信信号レベルの差が小さいブランチが存在しない場合は、位相誤差累積値比較部７０５に対し、位相誤差累積値比較が不要であること、及び、最も受信信号レベルの大きいブランチの番号を、受信レベル比較結果通知信号７０３にて通知する。一方、最も受信信号レベルの大きいブランチと、受信信号レベルの差が小さいブランチが存在する場合は、位相誤差累積値比較部７０５に対し、位相誤差累積値比較が必要であること、及び、最も受信信号レベルの大きいブランチと受信信号レベルの差が小さいブランチのリストを、受信レベル比較結果通知信号７０３にて通知する。
【００６６】
位相誤差累積値比較部７０５は、受信レベル比較結果通知信号７０３より、位相誤差累積値比較が不要であると通知された場合は、最も受信信号レベルの大きいブランチが最も受信品質が良いと判定し、最も受信信号レベルの大きいブランチの選択を指示するブランチ選択信号７０６を出力する。一方、受信レベル比較結果通知信号７０３より、位相誤差累積値比較が必要であると通知された場合は、前記の最も受信信号レベルの大きいブランチと受信信号レベルの差が小さいブランチのリストに示されたブランチの位相誤差累積値を、各ブランチから通知された位相誤差累積値８０３ａ〜８０３ｎを用いて比較する。
【００６７】
位相誤差累積知比較の結果、最も位相誤差累積値の小さい受信ブランチと、それ以外の前記リスト上の受信ブランチの位相誤差累積値との差があらかじめ定められた閾値より大きい場合は、最も位相誤差累積値の小さいブランチが最も受信品質が良いと判定して、位相誤差累積値が最も小さいブランチの選択を指示するブランチ選択信号７０６を出力する。
【００６８】
一方、位相誤差累積値比較の結果、最も位相誤差累積値の小さい受信ブランチと、それ以外の前記リスト上の受信ブランチの位相誤差累積値との差があらかじめ定められた閾値より小さい場合は、位相誤差累積値の差は同等と判断し、前記リスト上の受信ブランチの中で最も受信信号レベルの大きいブランチが最も受信品質が良いと判定して、前記リスト上の受信ブランチの中で最も受信信号レベルの大きいブランチの選択を指示するブランチ選択信号７０６を出力する。
【００６９】
受信ブランチ選択部７０８は、ブランチ選択信号７０６により選択を指示されたブランチの受信データを、各ブランチからの受信データ４２４ａ〜４２４ｎの中から選択して、ダイバーシティ部８０４で選択した受信データ８０５として出力する。
【００７０】
次に、図１２にＣ／Ｎと位相誤差累積値の関係を示す。この図よりわかるように、受信信号の品質（Ｃ／Ｎ）が悪いときは、位相誤差累積値が大きくなるという関係があり、ブランチ判定に位相誤差累積値が有効に利用できることがわかる。
【００７１】
なお、以上の説明では、４相位相変調信号を用いた例で説明したが、８相位相変調システムなどの別の位相変調システムにおいても実施可能である。また、受信信号レベル４２１ａ、ｂは、受信信号レベル検出部４２２ａ、ｂにおいて、波形整形後の同相成分（Ｉ信号４１０ａ、ｂ）、または、波形整形後の直交成分（Ｑ信号４１１ａ、ｂ）のいずれを用いても、実施可能である。
【００７２】
更には、従来技術のように、受信信号レベルとしてＩ信号及びＱ信号２乗和の平方根を用いる場合など、受信信号レベル比較に利用できるものであれば、同様の構成で実施可能である。
【００７３】
以上説明したように、ダイバーシティ回路において、最も品質の良いブランチの受信データを選択する際に、直交検波後の同相成分（Ｉ信号）または直交成分（Ｑ信号）の絶対値の平均のみから求めた受信信号レベルと、受信シンボルデータ４１５の位相誤差累積値から選択するように構成したもので、ブランチ選択精度を更に高めることが可能となり、簡易な構成のダイバーシティ回路が得られる。
【００７４】
（実施の形態３）
図８に、本発明の実施の形態３における受信装置の構成を示すブロック図を示し、以下に説明する。これは、二つのブランチａ，ｂから構成される受信装置の例である。実施の形態３は、実施の形態２で述べた受信信号レベル及び位相誤差累積値を用いたブランチ選択手段に、さらにダイバーシティ部でフレーム同期判定結果をブランチ選択条件に加えた点が異なり、異なる点を中心に説明する。
【００７５】
本発明の実施の形態の骨子は、自動利得制御用に受信信号レベル検出部４２２ａ，ｂで生成された受信信号レベル４２１ａ、ｂは、ダイバーシティ部１００２に対しても入力され、自動周波数制御部４１６ａ、４１６ｂで生成された、受信シンボルデータ４１５ａ、ｂの位相誤差は、ダイバーシティ用の位相誤差累積部８０２ａ、ｂであらかじめ定められたシンボル数分累積され、位相誤差累積値８０３ａ、ｂとしてダイバーシティ部１００２に対して入力される。ダイバーシティ部１００２は、受信信号レベル４２１ａ、ｂ、位相誤差累積値８０３ａ、ｂ、及び、フレーム同期判定結果１００１ａ、ｂを用いて、後述のダイバーシティ手順により、最も受信品質が良いブランチを選択し、選択されたブランチからの受信データ１００３を出力するものである。
【００７６】
以下に、実施の形態２と異なるフレーム同期部４１８及びダイバーシティ部１００２を中心に説明する。
【００７７】
次に、フレーム同期部４１８のフレーム同期判定処理について説明する。
フレーム同期部４１８ａ、ｂは、受信シンボルデータ列と、フレーム同期用の既知のシンボルデータ列との相関を取ることで、受信シンボルデータ列からフレーム同期の検出を試みる。そして、前記相関が取れた場合は、フレーム同期確立が成功したと判定し、前記相関が取れなかった場合は、フレーム同期確立は不成功と判定する。この判定結果を示すフレーム同期判定結果１００１ａ、ｂは、ダイバーシティ部１００２に通知される。
【００７８】
さらに、フレーム同期部４１８ａ、ｂは、フレーム同期確立の成功、不成功を示すフレーム同期判定結果１００１ａ、ｂを、ダイバーシティ部１００２に通知する。
【００７９】
図９は、実施の形態２で述べた受信信号レベル及び位相誤差累積値を用いたブランチ選択に、さらにフレーム同期判定結果をブランチ選択条件に加えたダイバーシティ部１００２のブロック構成図を示したものである。
【００８０】
受信信号レベル比較部９０２は、まず、全ブランチのフレーム同期部４１８から通知されたフレーム同期判定結果１００１ａ〜１００１ｎを調べ、フレーム同期確立が不成功であったブランチの有無を確認する。
【００８１】
フレーム同期確立の成功、不成功の確認の結果、すべてのブランチにおいてフレーム同期確立が不成功であった場合は、受信信号レベル比較部９０２は全ブランチからの受信データに信頼性が無く、ブランチ選択処理の意味が無いと判断し、位相誤差累積値比較部９０６に対し、前回選択されたブランチの選択を保持するように、受信レベル比較結果通知信号９０３を用いて通知する。
【００８２】
一方、フレーム同期確立の成功、不成功の確認の結果、一部のブランチのみにおいてフレーム同期確立が不成功であった場合は、受信信号レベル比較部９０２はフレーム同期確立が不成功であったブランチからの受信データに信頼性が無いと判断し、フレーム同期確立が成功であったブランチのみを用いて受信信号レベル４２１ａ〜４２１ｎを比較し、最も受信信号レベルの大きいブランチを検出する。続いて、最も受信信号レベルの大きいブランチと、受信信号レベルの差が小さいブランチが存在するかどうかを調べる。ここで受信信号レベルの差が小さいかどうかの判定は、受信信号レベルの差が、あらかじめ定めた閾値より大きい場合は受信信号レベル差が大きいと判定し、あらかじめ定めた閾値より小さい場合は受信信号レベル差が小さいと判定することにより行う。
【００８３】
前記の受信信号レベル比較の結果、最も受信信号レベルの大きいブランチと、受信信号レベルの差が小さいブランチが存在しない場合は、位相誤差累積値比較部９０６に対し、位相誤差累積値比較が不要であること、及び、最も受信信号レベルの大きいブランチの番号を、受信レベル比較結果通知信号９０３にて通知する。一方、最も受信信号レベルの大きいブランチと、受信信号レベルの差が小さいブランチが存在する場合は、位相誤差累積値比較部９０６に対し、位相誤差累積値比較が必要であること、及び、最も受信信号レベルの大きいブランチと受信信号レベルの差が小さいブランチのリストを、受信レベル比較結果通知信号９０３にて通知する。
【００８４】
位相誤差累積値比較部９０６は、受信レベル比較結果通知信号９０３より、位相誤差累積値比較が不要であると通知された場合は、最も受信信号レベルの大きいブランチが最も受信品質が良いと判定し、最も受信信号レベルの大きいブランチの選択を指示するブランチ選択信号９０７を出力する。一方、受信レベル比較結果通知信号９０３より、位相誤差累積値比較が必要であると通知された場合は、前記の最も受信信号レベルの大きいブランチと受信信号レベルの差が小さいブランチのリストに示されたブランチの位相誤差累積値を、各ブランチから通知された位相誤差累積値８０３ａ〜８０３ｎを用いて比較する。位相誤差累積知比較の結果、最も位相誤差累積値の小さい受信ブランチと、それ以外の前記リスト上の受信ブランチの位相誤差累積値との差があらかじめ定められた閾値より大きい場合は、最も位相誤差累積値の小さいブランチが最も受信品質が良いと判定して、位相誤差累積値が最も小さいブランチの選択を指示するブランチ選択信号９０７を出力する。一方、位相誤差累積値比較の結果、最も位相誤差累積値の小さい受信ブランチと、それ以外の前記リスト上の受信ブランチの位相誤差累積値との差があらかじめ定められた閾値より小さい場合は、位相誤差累積値の差は同等と判断し、前記リスト上の受信ブランチの中で最も受信信号レベルの大きいブランチが最も受信品質が良いと判定して、前記リスト上の受信ブランチの中で最も受信信号レベルの大きいブランチの選択を指示するブランチ選択信号９０７を出力する。
【００８５】
受信ブランチ選択部９０９は、ブランチ選択信号９０７により選択を指示されたブランチの受信データを、各ブランチからの受信データ４２４ａ〜４２４ｎの中から選択して、ダイバーシティ部１００２で選択した受信データ１００３として出力する。
【００８６】
なお、ダイバーシティ部１００２の受信ブランチの選択は、フレーム同期判定結果１００１と受信信号レベル４２１との組合わせのみで判定してもよい。
【００８７】
以上説明したように、ダイバーシティ回路において、最も品質の良いブランチの受信データを選択する際に、フレーム同期判定結果と、直交検波後の同相成分（Ｉ信号）または直交成分（Ｑ信号）の絶対値の平均のみから求めた受信信号レベルと、受信シンボルデータ４１５の位相誤差累積値から選択するように構成したもので、ブランチ選択精度を更に高めることが可能となり、簡易な構成のダイバーシティ回路が得られる。
【００８８】
（実施の形態４）
図１０は、本発明の実施の形態４における受信装置のブロック構成図を示すもので、実施の形態１とは復調処理と受信レベル検出処理の処理時間の差を吸収し、ブランチ選択精度を高めるために、復調処理系と受信レベル検出処理系の一方に遅延部を挿入した点が異なり、異なる点を中心に説明する。
【００８９】
本発明の背景について説明する。実施の形態１で述べた受信装置（図１）において、チャネルフィルタ部４０９ａ、ｂが出力した波形整形後の同相成分（Ｉ信号４１０ａ、ｂ）及び波形整形後の直交成分（Ｑ信号４１１ａ、ｂ）は、位相変換部４１２ａ、ｂからフレーム同期部４１８ａ、ｂまでの復調処理と、受信信号レベル検出部４２２ａ、ｂでの受信信号レベル検出処理の二つの処理に使用される。復調処理により得られた受信データ４２４ａ、ｂは、フレーム同期部４１８ａ、ｂより、ダイバーシティ部４２５に渡される。一方、受信レベル検出処理により得られた受信信号レベル４２１ａ、ｂも、ダイバーシティ部８０４に渡される。
【００９０】
これらの復調処理と受信レベル検出処理は、処理時間が同じとは限らないため、処理時間異なる場合、同じＩ信号４１０ａ、ｂ及びＱ信号４１１ａ、ｂより求められた受信データ４２４ａ、ｂと受信信号レベル４２１ａ、ｂは、ダイバーシティ部４２５に異なったタイミングで入力されることになり、受信データと受信信号レベルの時間相関が低くなってしまう。
【００９１】
その結果、特に短期間に受信信号レベル変動が生じた場合、ブランチ選択精度が低下する場合があり、これを防ぎブランチ選択精度を向上させることを目的としている。
【００９２】
図１０は、復調処理時間が、受信レベル検出処理時間より長い場合を想定し、実施の形態１で述べた受信信号レベル検出部およびダイバーシティ部を用いた受信装置において、受信信号レベル検出部４２２ａ、ｂからダイバーシティ部１１０３へ渡される受信信号レベル４２１ａ、ｂを、ダイバーシティ部１１０３の前段に配置した遅延部１１０１ａ、ｂにより遅延させることで、ブランチ判定に用いる情報のダイバーシティ部１１０３への入力タイミングを調整するように構成した受信装置のブロック図である。
【００９３】
遅延部１１０１ａ、ｂは、復調処理と受信レベル検出処理の処理時間の差に相当する遅延器を備えており、これによりダイバーシティ部１１０３に入力される受信データ４２４ａ、ｂと受信信号レベル１１０２ａ、ｂの時間相関は高くなり、ブランチ選択精度を向上させることができる。
【００９４】
また、実施の形態２の図４で示したような位相誤差累積値をブランチ選択条件に含めたダイバーシティ手段や、実施の形態３の図８で示したような位相誤差累積値及びフレーム同期判定結果をブランチ選択条件に含めたダイバーシティ手段においても、位相誤差累積値、フレーム同期判定結果、受信信号レベル及び受信データのダイバーシティ部への入力前に、それぞれの信号を得るのに必要な処理時間の差を吸収する遅延量の遅延器の挿入することにより、各信号間の時間相関を高めることができ、ブランチ選択精度を向上させることができる。
【００９５】
【発明の効果】
以上のように本発明によれば、無線通信システムの受信装置において、受信信号レベルの検出を、直交検波後の同相成分（Ｉ信号）または直交成分（Ｑ信号）の絶対値の平均のみから求めように構成することで、ダイバーシティ回路を簡易な構成で実現することができ、受信装置の小型化が図れる。
【００９６】
さらに、位相検波後の位相情報を元に容易に得られる位相誤差の累積値、フレーム同期確立の成功、不成功の結果をブランチ選択条件に加えることで、前記ダイバーシティ回路のブランチ選択精度を更に向上させることができる。
【００９７】
また、受信データと、ブランチ選択の判断材料である前記の受信信号レベル、位相誤差累積値、及び、フレーム同期確立結果の時間相関を調整してダイバーシティ回路へ入力することで、ブランチ選択精度の更なる改善が可能となる。
【図面の簡単な説明】
【図１】本発明の実施の形態１における受信装置のブロック構成図
【図２】本発明の実施の形態１による受信信号レベル検出回路の構成を示すブロック図
【図３】本発明の実施の形態１によるダイバーシティ回路の構成を示すブロック図
【図４】本発明の実施の形態２における受信装置のブロック構成図
【図５】４相位相変調信号の位相検波後の信号点配置を説明する図
【図６】本発明の実施の形態２による自動周波数制御部の構成を示すブロック図
【図７】本発明の実施の形態２によるダイバーシティ回路の構成を示すブロック図
【図８】本発明の実施の形態３における受信装置のブロック構成図
【図９】本発明の実施の形態３によるダイバーシティ回路の構成を示すブロック図
【図１０】本発明の実施の形態４における受信装置のブロック構成図
【図１１】従来の技術による受信信号レベル検出回路の構成を示すブロック図
【図１２】本発明の受信信号の品質Ｃ／Ｎと位相誤差累積値の関係を説明する図
【符号の説明】
２０２  平均処理部
２０４  受信信号レベル演算部
３０２  受信信号レベル比較部
３０４  受信ブランチ選択部
４０２ａ、ｂ  ＩＦアンプ
４０４ａ、ｂ  Ａ／Ｄ変換部
４０６ａ、ｂ  直交検波部
４０９ａ、ｂ  チャネルフィルタ部
４１２ａ、ｂ  位相変換部
４１４ａ、ｂ  位相検波部
４１６ａ、ｂ  自動周波数制御部
４１８ａ、ｂ  フレーム同期部
４１９ａ、ｂ  自動利得制御部
４２２ａ、ｂ  受信信号レベル検出部
４２５  ダイバーシティ部
４２７ａ、ｂ  アンテナ
４２８ａ、ｂ  ＲＦ部
５０５  第１象現
５０６  受信シンボルデータの信号点配置
５０７  位相誤差
６０３  位相誤差累積・平均化・補正量演算部
６０５  位相誤差検出部
６０６  補正部
７０２  受信信号レベル比較部
７０５  位相誤差累積値比較部
７０８  受信ブランチ選択部
８０２ａ、ｂ  位相誤差累積部
８０４  ダイバーシティ部
９０２  受信信号レベル比較部
９０６  位相誤差累積値比較部
９０９  受信ブランチ選択部
１００２  ダイバーシティ部
１１０１ａ、ｂ  遅延部
１１０３  ダイバーシティ部
【図１】
2004328431.tif 000008
【図２】
2004328431.tif 000009
【図３】
2004328431.tif 000010
【図４】
2004328431.tif 000011
【図５】
2004328431.tif 000012
【図６】
2004328431.tif 000013
【図７】
2004328431.tif 000014
【図８】
2004328431.tif 000015
【図９】
2004328431.tif 000016
【図１０】
2004328431.tif 000017
【図１１】
2004328431.tif 000018
【図１２】
2004328431.tif 000019